(57)【要約】【課題】光ディスク挿入後にコンテンツの再生を迅速に行うことができる光ディスク記録再生装置を提供する。【解決手段】光ディスクに含まれる光ディスク識別情報を読み取る光ディスク識別手段と、光ディスクに関する情報を記憶する光ディスク情報記憶手段と、前記光ディスク情報記憶手段から読み取った情報を再生する光ディスク情報再生手段と、を有する光ディスク再生装置であって、前記光ディスクに関する情報は、前記光ディスクに記録されているコンテンツの一部を部分コンテンツとして含んでおり、前記光ディスク情報再生手段は、前記部分コンテンツを再生することができる光ディスク再生装置。【選択図】  図１
2004171626.tif 000002
【特許請求の範囲】
【請求項１】
記録媒体の再生を行う装置であって、
前記記録媒体のコンテンツの一部を予め記憶しており、前記記録媒体を読み取るための初期処理の完了前においても、前記記録媒体のコンテンツを再生することが可能である装置。
【請求項２】
光ディスクに含まれる光ディスク識別情報を読み取る光ディスク識別手段と、
光ディスクに関する情報を記憶する光ディスク情報記憶手段と、
前記光ディスク情報記憶手段から読み取った情報を再生する光ディスク情報再生手段と、を有する光ディスク再生装置であって、
前記光ディスクに関する情報は、前記光ディスクに記録されているコンテンツの一部を部分コンテンツとして含んでおり、前記光ディスク情報再生手段は、前記部分コンテンツを再生することができる光ディスク再生装置。
【請求項３】
前記部分コンテンツは、光ディスクに記録されている各コンテンツの先頭部分を含んでおり、前記光ディスク再生装置は、光ディスク挿入後該光ディスクを読み取るための初期処理を行っている間、前記光ディスク識別手段により読み取った前記光ディスクの識別情報に基づいて、前記光ディスク情報記憶手段から前記光ディスクに対応する部分コンテンツを取得し、前記光ディスク情報再生手段により該部分コンテンツを再生することを特徴とする請求項２に記載の光ディスク再生装置。
【請求項４】
前記光ディスク再生装置は、前記光ディスクの初期処理が完了したときに、前記部分コンテンツの再生から、前記部分コンテンツに対応する前記光ディスクに記録されているコンテンツの再生に切り替えることを特徴とする請求項３に記載の光ディスク再生装置。
【請求項５】
前記光ディスク再生装置は、前記光ディスクを挿入後所定の時間が経過したときに、前記部分コンテンツの再生から、前記部分コンテンツに対応する前記光ディスクに記録されているコンテンツの再生に切り替えることを特徴とする請求項３に記載の光ディスク再生装置。
【請求項６】
前記光ディスク再生装置は、前記部分コンテンツの全部を再生し終えたときに、前記部分コンテンツの再生から、前記部分コンテンツに対応する前記光ディスクに記録されているコンテンツの再生に切り替えることを特徴とする請求項３に記載の光ディスク再生装置。
【請求項７】
前記部分コンテンツは、前記光ディスクに記録されているコンテンツと同一のタイムコードを含んでおり、前記部分コンテンツの再生から前記光ディスクに記録されているコンテンツの再生に切り替えるときには、前記タイムコードを用いて再生タイミングの同期をとることを特徴とする請求項４から６のいずれか一項に記載の光ディスク再生装置。
【請求項８】
前記部分コンテンツは、前記光ディスクの初期処理に要する最大時間よりも長い再生時間を有することを特徴とする請求項３から６のいずれか一項に記載の光ディスク再生装置。
【請求項９】
前記光ディスク再生装置は、挿入されている光ディスクに記録されている情報と、前記光ディスク情報記憶手段に記憶されている前記光ディスクに関する情報とを比較し、これらが異なっている場合には、前記光ディスク情報記憶手段に、前記光ディスクに記録されている情報を上書きすることを特徴とする請求項３に記載の光ディスク再生装置。
【請求項１０】
前記光ディスク再生装置は、挿入されている光ディスクに記録されている情報と、前記光ディスク情報記憶手段に記憶されている前記光ディスクに関する情報とを比較し、これらが異なっている場合には、前記コンテンツの再生を行わないことを特徴とする請求項４から６のいずれか一項に記載の光ディスク再生装置。
【請求項１１】
媒体識別情報を含む光ディスクを再生するための装置であって、
前記媒体識別情報と、前記光ディスクに記録されているコンテンツに関するコンテンツ情報と、前記光ディスクに記録されているコンテンツの一部である部分コンテンツとを関連づけて記憶する光ディスク情報記憶手段と、
前記装置に光ディスクが挿入されると、該光ディスクの媒体識別情報を取得し、前記光ディスク情報記憶手段において記憶されている情報の中から、前記取得した媒体識別情報に一致する情報を検索し取得する識別情報判別手段と、
前記識別情報判別手段により取得される、前記挿入された光ディスクに対応する部分コンテンツを再生する部分コンテンツ再生手段と、
前記装置に光ディスクが挿入されると、前記光ディスクの再生を可能にするための初期処理を行う光ディスク再生準備手段と、
前記部分コンテンツ再生手段により部分コンテンツ再生中において、前記光ディスク再生準備手段が前記光ディスクの初期処理を完了したときには、前記再生されている部分コンテンツに連続するように、前記光ディスクから読み取られる対応するコンテンツの再生に切り替える光ディスク再生切り替え手段と、を有することを特徴とする光ディスク再生装置
【請求項１２】
請求項１から１１のいずれか一項に記載の光ディスク再生装置の動作を制御するためのコンピュータで実行可能な制御プログラムであって、
挿入された光ディスクの識別情報を読み取るステップと、
前記光ディスクの初期処理を開始するステップと、
前記光ディスク情報記憶手段から前記光ディスクに関する情報を取得するステップと、を含んでおり、
前記光ディスクの初期処理が完了する前に、前記光ディスクの再生が指示された場合には、前記光ディスクに関する情報に含まれる前記光ディスクのコンテンツの部分データを再生することを特徴とする制御プログラム。
【請求項１３】
請求項１２に記載の制御プログラムを記録した、コンピュータで読み取り可能な記録媒体。
【請求項１４】
請求項１から１１のいずれか一項に記載の光ディスク再生装置において、ディスクにコンテンツを書き込むことが可能であることを特徴とする光ディスク記録再生装置。
【発明の詳細な説明】
【０００１】
【発明の属する技術分野】
本発明は、着脱可能な光ディスク等を記録媒体として、テレビジョン番組などのコンテンツを記録し及び再生するための光ディスク記録再生装置に関し、特に、光ディスクの挿入後、光ディスクの初期処理の完了を待たずに、光ディスクに記録されているコンテンツを再生するが可能な光ディスク記録再生装置に関するものである。
【０００２】
【従来の技術】
近年、テレビジョン番組や映像・音楽データなどの大容量コンテンツの記録媒体としてＤＶＤ（Ｄｉｇｉｔａｌ  Ｖｅｒｓａｔｉｌｅ  Ｄｉｓｋ）メディア、特に、ＤＶＤ−ＲＷやＤＶＤ−ＲＡＭなどの書換え可能なメディアを利用する光ディスク記録再生装置が開発され、商品化されている。
【０００３】
ここで、「光ディスク」とは、ディスク表面に形成したくぼみ（ピット）にレーザ光を照射し、その反射光を読み取ることによりデータの記録及び再生行うことが可能な記録媒体のことを言うものであり、ＤＶＤ−ＲＯＭ、ＤＶＤ−ＲＷ、ＤＶＤ−ＲＡＭなどの他、ＣＤ−ＲＯＭ、ＣＤ−Ｒ、ＣＤ−ＲＷ、ＭＯなども含まれる（以下、本明細書中において同じ）。
【０００４】
従来、ユーザが複数の記録媒体（光ディスクを含む）の中から視聴したいコンテンツが記録された記録媒体を探し出すためには、各記録媒体に記録されているコンテンツのタイトルなどの識別情報を記した紙ラベルを予め各記録媒体本体又はそのカートリッジに貼付しておき、この紙ラベルを手がかりにする方法が一般的であった。
【０００５】
しかしながら、近年、記録媒体は大容量化しており、特にＤＶＤ等の光ディスク１枚には多くのコンテンツを記録することが可能となっている。このため、上記の紙ラベルを貼付する方法では、ＤＶＤ等の大容量記録媒体に記録されている多数のコンテンツの識別情報を紙ラベルに記載しきれなくなっている。
【０００６】
一般的に、ＤＶＤ−ＲＯＭ、ＤＶＤ−ＲＷ、ＤＶＤ−ＲＡＭなどの記録媒体は、記録されているコンテンツに関するインデックス情報（例えば、コンテンツのタイトルやコンテンツの内容を示すサムネイル画像など）を含んでおり、これらの記録媒体を記録再生装置に挿入すると、上記インデックス情報の一覧が自動的に表示されるようになっている。ユーザは、このインデックス情報から好みのコンテンツを選択し、再生等するよう記録再生装置を操作することができる。
【０００７】
ところで、光ディスクを記録再生装置に挿入すると、光ディスクを読み取るための初期処理が行われる。この初期処理とは、光ディスクに照射するレーザ光のパワー調整、光ディスクからのファイル管理情報及びコンテンツのインデックス情報の読み込みなどを含んでおり、通常は、光ディスクを挿入してから数秒から数十秒の時間を要する。初期処理が終了した後に、ユーザは光ディスクからインデックス情報を取得し、記録されたコンテンツを再生し、又はコンテンツを光ディスクに記録することができる。
【０００８】
したがって、ユーザが数多くの光ディスクの中から視聴したいコンテンツが記録された記録媒体を探し出すために、各光ディスクに記録されたインデックス情報を記録再生装置上に次々と表示させようとすると、新たな光ディスクを挿入するたびに初期処理の完了を待たなければならず、時間がかかってしまうという問題があった。
【０００９】
特許文献１には、このような問題を解決するため、光ディスクに記録されているコンテンツのインデックス情報を迅速に取得する方法を備えたメディア制御装置が提案されている。このメディア制御装置は、バーコード読み取り機能を備えた光ディスク記録再生装置を用いて、光ディスク自体またはカートリッジのラベル面に、光ディスクを一意に判別可能な識別コードを示すバーコードを印字し、光ディスクに記録されているコンテンツの目次情報を前記識別コードと関連付けて光ディスク記録再生装置内のハードディスクに記録することを特徴としている。
【００１０】
このような構成により、光ディスクを挿入した際、光ディスクのラベル面のバーコードから識別コードを読み取り、その識別コードに関連付けられているコンテンツのインデックス情報をハードディスクから読み出して、挿入された光ディスクに記録されているコンテンツのインデックス情報を表示することができる。
つまり、光ディスクの挿入時に光ディスクの初期処理を行うことなく、インデックス情報を短時間で取得することができるので、ユーザは、複数の光ディスクの中から視聴したいコンテンツが記録されている光ディスクを検索する方法を、従来よりも短時間で行うことが可能となる。
【特許文献１】
特開２００２−１０１８３号公報
【００１１】
【発明が解決しようとする課題】
ユーザは、上記したような従来の光ディスク記録再生装置に光ディスクを挿入し、表示されたインデックス情報の中に視聴したいコンテンツを見出すと、コンテンツを選択して再生するように操作することができる。しかしながら、上記の通り、コンテンツを再生するには、光ディスクに対する初期処理が完了している必要がある。ユーザがインデックス情報から選択したコンテンツを再生しようとしても、初期処理が完了していない場合には、初期処理が完了するまで視聴したいコンテンツの再生を待たなければならない。このため、上記のようにインデックス情報を短時間で取得したとしても、コンテンツの再生までには待ち時間が生じてしまうことがあった。
【００１２】
また、上記従来の光ディスク記録再生装置において、光ディスクの挿入時に、インデックス情報の取得及び表示と光ディスクの初期処理とを並行して行うように構成することもできる。しかしながら、ユーザがコンテンツの選択及び再生操作を迅速に行うと、光ディスクの初期処理が完了していない場合があるため、上記同様、コンテンツの再生までに待ち時間が生じてしまうことになる。
【００１３】
特許文献１に記載の発明においては、光ディスク記録再生装置はハードディスクを備えており、このハードディスクに、一度挿入したことのある光ディスクのインデックス情報と、これに関連付けられるコンテンツとを記憶させておくことにより、光ディスクの初期処理の完了を待たずして、ユーザが選択したコンテンツを迅速に再生することが可能となっている。しかしながら、光ディスク記録再生装置のハードディスクの記憶容量には制限があるため、ＤＶＤ−ＲＯＭ、ＤＶＤ−ＲＷ、ＤＶＤ−ＲＡＭなどの大容量光ディスク複数枚分のコンテンツを全て記憶させておくことはできない。
【００１４】
したがって、光ディスク記録再生装置に光ディスクを挿入した後、光ディスクの初期化のために数秒から数十秒の時間を要するため、ユーザがコンテンツの再生を迅速に行うことができないという問題が依然として存在している。
【００１５】
そこで本発明は、従来の光ディスク記録再生装置におけるこのような問題を改善し、光ディスク挿入後にコンテンツの再生等を迅速に行うことができる光ディスク記録再生装置を提供することを目的とする。
【００１６】
【課題を解決するための手段】
上記解決課題に鑑みて鋭意研究の結果、本発明者は、光ディスク記録再生装置に備えられたハードディスク装置等の記憶手段において、光ディスクに記録されているコンテンツの先頭部分の一部を記憶しておくことにより、光ディスク挿入後、初期処理が行われている間には上記記憶手段に記憶されている上記コンテンツの先頭部分を再生し、初期処理完了後に光ディスクから当該コンテンツの続きを再生するように構成した光ディスク記録再生装置に想到した。
【００１７】
すなわち、本発明は、記録媒体の再生を行う装置であって、前記記録媒体のコンテンツの一部を予め記憶しており、前記記録媒体を読み取るための初期処理の完了前においても、前記記録媒体のコンテンツを再生することが可能である装置を提供するものである。これにより、光ディスクの初期処理完了前であっても、装置に記憶してある前記コンテンツの一部を再生することにより、光ディスク挿入後すぐにコンテンツの再生を行うことが可能となる。
【００１８】
本発明は、また、光ディスクに含まれる光ディスク識別情報を読み取る光ディスク識別手段と、光ディスクに関する情報を記憶する光ディスク情報記憶手段と、前記光ディスク情報記憶手段から読み取った情報を再生する光ディスク情報再生手段と、を有する光ディスク再生装置であって、前記光ディスクに関する情報は、前記光ディスクに記録されているコンテンツの一部を部分コンテンツとして含んでおり、前記光ディスク情報再生手段は、前記部分コンテンツを再生することができる光ディスク再生装置を提供するものである。
【００１９】
前記部分コンテンツは、光ディスクに記録されている各コンテンツの先頭部分を含んでおり、前記光ディスク再生装置は、光ディスク挿入後該光ディスクを読み取るための初期処理を行っている間、前記光ディスク識別手段により読み取った前記光ディスクの識別情報に基づいて、前記光ディスク情報記憶手段から前記光ディスクに対応する部分コンテンツを取得し、前記光ディスク情報再生手段により該部分コンテンツを再生することを特徴とする。
【００２０】
本発明において、前記光ディスク再生装置は、前記光ディスクの初期処理が完了したときに、前記部分コンテンツの再生から、前記部分コンテンツに対応する前記光ディスクに記録されているコンテンツの再生に切り替えるようにすることができる。
【００２１】
あるいは、前記光ディスク再生装置は、前記光ディスクを挿入後所定の時間が経過したときに、前記部分コンテンツの再生から、前記部分コンテンツに対応する前記光ディスクに記録されているコンテンツの再生に切り替えるようにしてもよい。
【００２２】
あるいは、前記光ディスク再生装置は、前記部分コンテンツの全部を再生し終えたときに、前記部分コンテンツの再生から、前記部分コンテンツに対応する前記光ディスクに記録されているコンテンツの再生に切り替えるようにすることもできる。
【００２３】
前記部分コンテンツは、前記光ディスクの初期処理に要する最大時間よりも長い再生時間を有しているので、いずれの場合においても、初期処理完了後、部分コンテンツの再生から光ディスクに記録されているコンテンツの再生に、スムーズに切り替えることが可能である。
【００２４】
また、前記部分コンテンツは、前記光ディスクに記録されているコンテンツと同一のタイムコードを含んでおり、前記部分コンテンツの再生から前記光ディスクに記録されているコンテンツの再生に切り替えるときには、前記タイムコードを用いて再生タイミングの同期をとることが可能である。
【００２５】
さらに、本発明の光ディスク再生装置は、挿入されている光ディスクに記録されている情報と、前記光ディスク情報記憶手段に記憶されている前記光ディスクに関する情報とを比較し、これらが異なっている場合には、前記光ディスク情報記憶手段に、前記光ディスクに記録されている情報を上書きすることを特徴とする。
【００２６】
また、本発明の光ディスク再生装置は、挿入されている光ディスクに記録されている情報と、前記光ディスク情報記憶手段に記憶されている前記光ディスクに関する情報とを比較し、これらが異なっている場合には、非連続なコンテンツの再生を防ぐために、前記光ディスクのコンテンツに再生を切り替えないようになっている。
【００２７】
本発明は、また、媒体識別情報を含む光ディスクを再生するための装置であって、前記媒体識別情報と、前記光ディスクに記録されているコンテンツに関するコンテンツ情報と、前記光ディスクに記録されているコンテンツの一部である部分コンテンツとを関連づけて記憶する光ディスク情報記憶手段と、前記装置に光ディスクが挿入されると、該光ディスクの媒体識別情報を取得し、前記光ディスク情報記憶手段において記憶されている情報の中から、前記取得した媒体識別情報に一致する情報を検索し取得する識別情報判別手段と、前記識別情報判別手段により取得される、前記挿入された光ディスクに対応する部分コンテンツを再生する部分コンテンツ再生手段と、前記装置に光ディスクが挿入されると、前記光ディスクの再生を可能にするための初期処理を行う光ディスク再生準備手段と、前記部分コンテンツ再生手段により部分コンテンツ再生中において、前記光ディスク再生準備手段が前記光ディスクの初期処理を完了したときには、前記再生されている部分コンテンツに連続するように、前記光ディスクから読み取られる対応するコンテンツの再生に切り替える光ディスク再生切り替え手段と、を有することを特徴とする光ディスク再生装置を提供する。
【００２８】
本発明は、また、上記いずれかの光ディスク再生装置の動作を制御するためのコンピュータで実行可能な制御プログラムであって、挿入された光ディスクの識別情報を読み取るステップと、前記光ディスクの初期処理を開始するステップと、前記光ディスク情報記憶手段から前記光ディスクに関する情報を取得するステップと、を含んでおり、前記光ディスクの初期処理が完了する前に、前記光ディスクの再生が指示された場合には、前記光ディスクに関する情報に含まれる前記光ディスクのコンテンツの部分データを再生することを特徴とする制御プログラムを提供する。
【００２９】
本発明は、また、前記制御プログラムを記録した、コンピュータで読み取り可能な記録媒体を提供する。
本発明は、また、上記いずれかの光ディスク再生装置において、ディスクにコンテンツを書き込むことが可能であることを特徴とする光ディスク記録再生装置を提供する。
【００３０】
【発明の実施の形態】
以下、添付図面を参照しながら、本発明の実施の形態を詳細に説明する。尚、以下に説明する本発明の各実施形態において、記録媒体はＤＶＤ−ＲＯＭ、ＤＶＤ−ＲＷ、ＤＶＤ−ＲＡＭなどの光ディスクとしているが、本発明はこれら以外の記録媒体及びその記録再生装置においても応用可能である。
【００３１】
図１は、本発明の光ディスク記録再生装置の第１実施形態の構成を概略的に示す機能ブロック図である。図１において、本実施形態の光ディスク記録再生装置は、システム制御部１１、情報入力部１２、情報出力部１３、ユーザ操作部１４、ディスク記録再生部１５、ディスクＩＤ識別部１６、ハードディスク装置１８及びワークメモリ１９から構成されており、光ディスク１７を挿入して記録及び再生を行うことができるようになっている。
【００３２】
システム制御部１１は、マイクロプロセッサ等を含んでおり、以下に説明する光ディスク記録再生装置の各構成部分（情報入力部１２、情報出力部１３、ユーザ操作部１４、ディスク記録再生部１５、ディスクＩＤ識別部１６、ハードディスク装置１８及びワークメモリ１９）の動作を制御し、並びに、これらの構成部分間でのデータ（以下に説明するコンテンツデータ及びコンテンツ選択メニューを含む他、装置の制御に使用する信号、コマンド、各種データ等を含むものとする）の入出力を制御する。
【００３３】
情報入力部１２は、光ディスク記録再生装置外部からの情報又はデータ等を入力するためのものである。情報入力部１２は、典型的には、テレビジョンチューナ又は通信モデム等を含んでおり、あるいはこれらに接続されており、テレビジョン放送又は通信ネットワークなどからコンテンツデータを受信し、このコンテンツデータをシステム制御部１１に入力することが可能となっている。
【００３４】
情報出力部１３は、システム制御部１１から入力されたコンテンツデータ及びコンテンツ選択メニューを再生するためのものである。情報出力部１３は、典型的には、ＣＲＴディスプレイなどの映像表示装置及びスピーカなどの音声出力装置を含んでおり、あるいはこれらに接続されており、それぞれにおいて、上記コンテンツデータ及びコンテンツ選択メニューに含まれる映像情報及び音声情報を再生することが可能となっている。
【００３５】
ここで、コンテンツ選択メニューとは、各コンテンツデータに関連付けられた情報であって、当該コンテンツのタイトルをリスト表示したものや、当該コンテンツの内容を示すサムネイル画像を一覧表示したもの（インデックス情報）を含んだ情報のことを言うものとする。
【００３６】
ユーザ操作部１４は、ユーザが光ディスク記録再生装置を操作するためのインターフェイスを含んでいる。このインターフェイスは、典型的には、操作ボタン等を含む操作パネル（あるいは、赤外線を利用したリモートコントロールパネルでもよい）であり、ユーザは、光ディスク１７の記録及び再生等の操作、光ディスク記録再生装置自体又は映像表示装置等に対する操作、情報入力部１２を通じた装置外部とのデータ通信、その他以下に説明する光ディスク記録再生装置の動作のために必要な各操作を行うことができるようになっている。尚、ユーザ操作部１４からの操作はシステム制御部１１に入力されて処理される。
【００３７】
ディスク記録再生部１５は、光ディスク記録再生装置に挿入された光ディスク１７の記録及び再生を行うためのものであり、光ディスク１７の盤面を光学的に読み取り及びこれに書き込む手段（図示せず）を有している。これにより、ディスク記録再生部１５は、システム制御部１１から入力されたコンテンツデータ等を、光ディスク１７に記録可能な形式に変換した後、このデータを光ディスク１７に記録する記録操作を行うことができる。また、ディスク記録再生部１５は、光ディスク１７に記録されているコンテンツデータを読み取り、このデータを光ディスク記録再生装置の各構成部分（情報出力部１３、ハードディスク装置１８、ワークメモリ１９等）において利用可能な形式に変換した後、システム制御部１１に出力する再生操作を行うことができる。
【００３８】
また、ディスク記録再生部１５は、システム制御部１１からの指示により又は自動的に、光ディスク１７の初期処理を行うことができる。ここで、初期処理とは、ディスク記録再生部１５が光ディスク１７に照射するレーザ光のパワー調整、光ディスク１７からのファイル管理情報及びコンテンツのインデックス情報の読み込みなどを含んでいる。
【００３９】
ディスクＩＤ識別部１６は、光ディスク記録再生装置に挿入された光ディスク１７に含まれる識別素子から、当該光ディスクの識別コードを取得する手段を有している。
光ディスク１７は、ＤＶＤ−ＲＯＭ、ＤＶＤ−ＲＷ、ＤＶＤ−ＲＡＭなどであり、映像情報及び／又は音声情報から成るコンテンツデータを格納している。また、各光ディスク１７は、当該光ディスク１７を識別するための識別コードを含んだ識別素子を備えている。
【００４０】
本実施形態においては、光ディスク１７（又はそのカートリッジ）の盤面に、識別素子としてバーコードを印字した紙ラベルを貼付している。したがって、ディスクＩＤ識別部１６は、このバーコードから、光ディスク１７の識別コードを読み取る手段を有しているものとする。
【００４１】
尚、光ディスク１７の識別素子、及びディスクＩＤ識別部１６の当該識別素子を読み取るための手段については、上記の例の他にも、様々な実施態様が考えられる。
例えば、光ディスク１７にＩＣチップを備えるとともに、ディスクＩＤ識別部１６において、当該ＩＣチップに非接触にアクセス可能な読み取り手段を備えることにより、当該ＩＣチップから識別コードを取得するように構成してもよい。また、ＤＶＤのＢＣＡ（Ｂｕｒｓｔ  Ｃｕｔｔｉｎｇ  Ａｒｅａ）領域に光ディスク１７の識別コードを記録しておき、ディスク記録再生部１５又はディスクＩＤ識別部１６において、これを読み取る手段を備えるようにすることも可能である。
【００４２】
ハードディスク装置１８は、磁気ディスク装置等の不揮発性記憶手段を含んでおり、コンテンツデータ等を格納しておくことができる。ここでは、ハードディスク装置としているが、データを不揮発的に記憶可能な他の記録媒体（半導体記憶素子など）を用いることももちろん可能である。
【００４３】
ワークメモリ１９は、半導体記憶素子などを含む揮発性の記憶手段であり、システム制御部１１が動作する際に一時的なデータの格納等のための作業領域として利用される他、後に説明するディスクＩＤ管理テーブルを格納するためにも利用される。
【００４４】
本実施形態の光ディスク記録再生装置の上記以外の構成部分については、従来の光ディスク記録再生装置において用いられているものと同様に構成することができるので、ここでは説明及び図示を省略する。
【００４５】
次に、上記のように構成された本実施形態の光ディスク記録再生装置の動作について説明する。ユーザは、光ディスク記録再生装置に光ディスク１７を挿入した後、ユーザ操作部１４を操作することにより光ディスク記録再生装置に各種の動作を行わせる。
【００４６】
光ディスク記録再生装置に光ディスク１７が挿入されると、ディスク記録再生部１５は、光ディスク１７を読み取るための初期処理を開始する。初期処理が完了すると、ディスク記録再生部１５は、システム制御部１１に初期処理の完了を通知する。
このとき、情報出力部１３により光ディスクに記録されているコンテンツデータのインデックス情報を表示するようにしてもよい。
【００４７】
ユーザがユーザ操作部１４により上記インデックス情報から好みのコンテンツを選択するなどして、光ディスク１７に記録されたコンテンツデータ等を再生するように操作すると、システム制御部１１はディスク記録再生部１５を通じて読み取ったコンテンツデータ等を情報出力部１３に出力し、情報出力部１３おいて再生するように動作する。
【００４８】
また、ユーザが情報入力部１２から取得したコンテンツデータ等を再生するよう操作した場合には、システム制御部１１は当該コンテンツデータ等を、必要に応じてデータ形式の変換などを行った後、情報出力部１３に出力し、情報出力部１３おいて再生するように動作する。
【００４９】
ユーザが情報入力部１２又はハードディスク装置１８から取得したコンテンツデータ等を光ディスク１７に記録するよう操作すると、システム制御部１１は当該コンテンツデータ等をディスク記録再生部１５に出力し、ディスク記録再生部１５において必要なデータ形式の変換などを行った後、光ディスク１７に記録させるように動作する。
【００５０】
尚、上記の記録及び再生の動作において、システム制御部１１は、記録又は再生しようとするコンテンツデータ等をハードディスク装置１８に一時的に記憶させておくことができるようになっている。これにより、コンテンツデータ等の先読み、キャッシュ、バッファ等を行うことが可能となる。
【００５１】
次に、本実施形態の光ディスク記録再生装置において記録及び再生するコンテンツデータについて説明する。図２は、コンテンツデータの構成を概略的に示す図である。
図２において、コンテンツデータは、一連の連続したシーンＶ１、Ｖ２、…、Ｖｎ（ｎは整数）から構成されており、各シーンは映像情報及び音声情報を含んでいるものとする。各シーンには、各シーンを再生するタイミングを示す一連のタイムコードＴ１、Ｔ２、…、Ｔｎ（ｎは整数）と、各シーンが格納されている記録媒体（本実施形態では、光ディスク１７又はハードディスク装置１８であるが、これに限定されるわけではない。）上のアドレスを示す一連の格納先アドレスＡ１、Ａ２、…、Ａｎ（ｎは整数）とが付加されている。
【００５２】
本実施形態の光ディスク記録再生装置において、上記の各シーンＶ１〜Ｖｎを、一連のタイムコードＴ１〜Ｔｎの順番に従って再生することにより、連続したコンテンツデータとして再生することができる。また、コンテンツデータを途中から再生する場合には、任意のタイムコードを指定して、そのタイムコードに対応するシーンの格納先アドレスから、当該シーン以降のコンテンツデータを読み込んで再生すればよい。
【００５３】
続いて、図３及び図４を参照しながら、本実施形態の光ディスク記録再生装置において利用する部分ストリームについて説明する。
図３は、光ディスクに記録されているコンテンツデータの構成を概略的に示す図である。図３において、コンテンツデータは、一連の連続したシーンＶ１、Ｖ２、…、Ｖ９から構成されており、各シーンには、一連のタイムコードＴ１、Ｔ２、…、Ｔ９と、一連の格納先アドレスＤＡ１、ＤＡ２、…、ＤＡ９とが付加されている。その他は、図２に示すコンテンツデータと同様である。
【００５４】
本実施形態の光ディスク記録再生装置は、ハードディスク装置１８において、光ディスク１７に記録されたコンテンツデータの一部と同内容のデータを含む部分ストリームを有している。図４は、図３に示すコンテンツデータの部分ストリームの構成を示す概略図である。
【００５５】
図４に示す部分ストリームは、図３に示すコンテンツデータの先頭（Ｔ１）から一定箇所（Ｔ５）までのデータに対応するものであり、シーンＶ１〜Ｖ５、タイムコードＴ１〜Ｔ５、及び格納先アドレスＨＡ１〜ＨＡ５から構成されている。ここで、格納先アドレスＨＡ１〜ＨＡ５は、この部分ストリームが格納されるハードディスク装置１８上のアドレスを示している。
【００５６】
本実施形態の光ディスク記録再生装置では、ハードディスク装置１８において上記のような部分ストリームを有することにより、図３に示すコンテンツデータのうちシーンＶ１〜Ｖ５に関しては、光ディスク１７及びハードディスク装置１８のいずれからでも取得して再生することができるようになっている。
【００５７】
例えば、図４に示す部分ストリームのシーンＶ１からＶ４までを再生した後、続いて図３に示すコンテンツデータのシーンＶ５からＶ９までを再生することができる。
このとき、システム制御部１１は、部分ストリームの先頭シーンＶ１をハードディスク装置１８のアドレスＨＡ１から読み取り、情報出力部１３において再生し、続いて、シーンＶ２、Ｖ３、Ｖ４を順次再生する。シーンＶ４の再生が終わると、システム制御部１１は、コンテンツデータのシーンＶ５を光ディスク１７のアドレスＤＡ５から読み取り、情報出力部１３において再生し、続いて、シーンＶ６、Ｖ７、Ｖ８、Ｖ９を順次再生する。
【００５８】
このとき、部分ストリームとコンテンツデータは、共通のタイムコードＴ１〜Ｔ５を有しているので、部分ストリームからコンテンツデータに再生を切り替えても、各シーンの再生タイミングを乱すことなく、映像情報及び音声情報を連続して再生することができる。
【００５９】
尚、ハードディスク装置１８上の部分ストリームは、以前に光ディスク１７が挿入された時に、システム制御部１１が自動的に又はユーザ操作に応じて、ハードディスク装置１８に記録しているものとする。光ディスク１７を挿入する度にハードディスク装置１８上の部分ストリームの記録を更新するようにしてもよい。また、多数の光ディスク１７を使用したことにより、ハードディスク装置１８の部分ストリームの記憶容量が不足した場合には、古い部分ストリームから順に上書きされるようになっていてもよい。
【００６０】
本実施形態の光ディスク記録再生装置の上記のような機能によれば、光ディスクを挿入後、初期処理の完了を待たずしてコンテンツデータの再生を行うことが可能になる。ここで、ハードディスク装置１８に記録しておく部分ストリームの再生時間は、光ディスク１７の初期処理に要する最大の時間以上とする。これにより、部分ストリームの全シーンの再生を終えたときには、必ず光ディスク１７の初期処理が完了していることになるため、部分ストリームの再生後、スムーズに光ディスク１７内のコンテンツデータの再生に切り替えることができ、途切れなくコンテンツデータの再生を続けることができる。したがって、ユーザにとっては、光ディスク１７の挿入後、すぐに光ディスク内のコンテンツの再生を行うことができることになる。
【００６１】
本実施形態の光ディスク記録再生装置では、ハードディスク装置１８に記録されている各部分ストリームと、これに対応するコンテンツデータを記録している光ディスクとの関連付けを、ワークメモリ１９に格納したディスクＩＤ管理テーブルによって行っている。
【００６２】
図５は、ワークメモリ１９が格納しているディスクＩＤ管理テーブルの構成を概略的に示すブロック図である。図５において、ディスクＩＤ管理テーブルは、ｉ個（ｉは整数）の光ディスクそれぞれに対応したｉ個のディスクＩＤ情報（１〜ｉ番目）の集合から構成されている。各ディスクＩＤ情報は、それぞれ対応する光ディスクを一意に識別可能な識別コードを含んでいる。各ディスクＩＤ情報は、さらに、それぞれ対応する光ディスクに記録されたコンテンツに関連するｊ個（ｊは整数）のコンテンツ情報（１〜ｊ番目）を含んでいる。
【００６３】
各コンテンツ情報は、インデックス情報と部分ストリーム情報とを含んでいる。インデックス情報は、そのディスクＩＤに対応する光ディスクに記録されている各コンテンツに関する情報、例えば、各コンテンツのタイトル、再生時間、サムネイル画像、タイムコード、光ディスク上の格納先アドレスなどを含んでいる。
各部分ストリーム情報は、ハードディスク装置１８に記録されている光ディスク上の各コンテンツデータの部分ストリームに関する情報として、各部分ストリームのハードディスク装置１８における格納先アドレス、タイムコード、再生時間などを含んでいる。
【００６４】
なお、インデックス情報及び部分ストリーム情報は、上記の内容に限定されるものではない。例えば、インデックス情報はさらに、各コンテンツの録画日時や録画したテレビジョン番組のチャンネルなどのコンテンツデータに付随する情報、各光ディスクの初期処理に必要な時間などの光ディスクに関連した情報などを含んでいてもよい。
【００６５】
また、部分ストリーム情報はさらに、ハードディスク装置１８上の部分ストリームの再生から光ディスク上のコンテンツデータの再生に切り替えるタイムコードなど、再生切り替えに必要な情報を含んでいてもよい。
【００６６】
本実施形態では、ワークメモリ１９においてディスクＩＤ管理テーブルを格納しているが、これをハードディスク装置において格納するようにしてもよい。この場合は、光ディスク記録再生装置の構成において、ワークメモリ１９を省略することができる。
【００６７】
上記のように構成されたディスクＩＤ管理テーブルの機能について説明する。光ディスク記録再生装置に光ディスク１７が挿入されると、ディスクＩＤ識別部１６は光ディスク１７の識別コードが読み取る。システム制御部１１は、ワークメモリ１９上のディスクＩＤ管理テーブルから、光ディスク１７の識別コードに一致するディスクＩＤ情報を検索し、該当するディスクＩＤ情報を検出した場合には、そのディスクＩＤ情報に含まれるコンテンツ情報を取得する。
【００６８】
システム制御部１１は、取得した上記コンテンツ情報に含まれるインデックス情報を、光ディスク１７のコンテンツに関する情報として、情報出力部１３に出力する。情報出力部１３では、上記インデックス情報をコンテンツ選択メニューなどの形態で表示する。ユーザはこのコンテンツ選択メニューから好みのコンテンツの再生等の操作を行うことができる。
【００６９】
ユーザが上記コンテンツ選択メニューから好みのコンテンツを選択し、再生するよう操作したときに、光ディスク１７の初期処理が完了していない場合には、システム制御部１１は、ワークメモリ１９上のディスクＩＤ管理テーブルから、上記選択されたコンテンツに対応するコンテンツ情報に含まれる部分ストリーム情報を取得し、この部分ストリーム情報に基づいて、ハードディスク装置１８に記録されている上記コンテンツの部分ストリームを情報出力部１３において再生する。
【００７０】
その後、システム制御部１１は、光ディスク１７の初期処理が完了したとき、あるいは所定の時間が経過したときに、部分ストリームの再生から光ディスク１７に記録されているコンテンツデータの再生に切り替える。
【００７１】
次に、本実施形態のディスク記録再生装置に光ディスク１７を挿入して、光ディスク１７に記録されているコンテンツデータを再生するときの動作について説明する。図６は、光ディスク１７挿入からコンテンツデータ再生までの動作を示すフローチャートである。
【００７２】
本実施形態の光ディスク記録再生装置に光ディスク１７が挿入されると、ディスクＩＤ識別部１６が光ディスク１７の挿入を検知する（ステップＳ６０１）。ディスクＩＤ識別部１６は、光ディスク１７の盤面に貼付されたバーコードを読み取り、このバーコードに含まれる識別コードを取得し、この識別コードをシステム制御部１１に送信する（ステップＳ６０２）。
こうして、システム制御部１１は光ディスク１７が挿入されたことを認識し、ディスク記録再生部１５において、光ディスク１７の初期処理を開始する（ステップＳ６０３）。
【００７３】
光ディスク１７の初期処理の開始後、システム制御部１１は、ワークメモリ１９内のディスクＩＤ管理テーブルを参照し、現在挿入されている光ディスク１７の識別コードと一致するディスクＩＤ情報を検索する（ステップＳ６０４）。
【００７４】
システム制御部１１は、現在挿入されている光ディスク１７の識別コードと一致するディスクＩＤ情報を検出した場合には、このディスクＩＤ情報に含まれる各コンテンツ情報を取得し、各コンテンツ情報に含まれるインデックス情報に基づいたコンテンツ選択メニューを情報出力部１３において表示する（ステップＳ６０５）。
【００７５】
尚、光ディスク１７の識別コードと一致するディスクＩＤ情報を検出しない場合（初めて挿入する光ディスクの場合、以前に格納されたディスクＩＤ情報が削除されてしまっている場合など）には、光ディスク１７の初期処理が完了した後、光ディスク１７から各コンテンツ情報を読み取り、これをワークメモリ１９内のディスクＩＤ管理テーブルに格納し、各コンテンツに対応する部分ストリーム及び部分ストリーム情報が、それぞれハードディスク装置１８とディスクＩＤ管理テーブル内に作られるようになっている。
【００７６】
上記の情報出力部１３において表示されているコンテンツ選択メニューは、現在挿入されている光ディスク１７に記録されている各コンテンツをユーザに表示するものであり、これを表示した後、システム制御部１１は、ユーザからの操作を待ち受ける状態となる。ユーザは、ユーザ操作部１４により、コンテンツ選択メニューから好みのコンテンツを選択して再生するように操作することができる（ステップＳ６０６）。
【００７７】
ユーザによりコンテンツ再生の操作が行われると、システム制御部１１は、ディスク記録再生部１５を通じて、光ディスク１７の初期処理が完了しているかどうかを識別する（ステップＳ６０７）。
【００７８】
光ディスク１７の初期処理が完了している場合は、システム制御部１１は、ディスク記録再生部１５を通じて光ディスク１７の当該コンテンツを取得し、情報出力部１３において再生を行う（ステップＳ６１１）。
【００７９】
ステップＳ６０７において光ディスク１７の初期処理が完了していない場合には、システム制御部１１は、ステップＳ６０５においてディスクＩＤ管理テーブルから取得した光ディスク１７のコンテンツ情報の中から、ステップＳ６０６で選択されたコンテンツの部分ストリーム情報を参照し、これに基づいて、当該コンテンツの部分ストリームをハードディスク装置１８から読み取り、情報出力部１３において再生する（ステップＳ６０８）。
【００８０】
光ディスク１７の初期処理が完了するまでの間、システム制御部１１は、ハードディスク装置１８に記録されている部分ストリームの再生を継続するとともに、光ディスク１７の初期処理の完了を待機する状態となる（ステップＳ６０９）。
【００８１】
システム制御部１１は、ディスク記録再生部１５を通じて光ディスク１７の初期処理が完了したことを認識すると、ハードディスク装置１８内の部分ストリームの再生から、光ディスク１７に記録されているコンテンツデータの再生に切り替える（ステップＳ６１０）。この再生切り替えは、システム制御部１１が光ディスク１７の初期処理の完了を認識した時点において、再生している部分ストリームのタイムコードを取得し、光ディスク１７に記録されたコンテンツデータにおいて、当該タイムコードの次のタイムコードに対応した格納先アドレスからコンテンツデータを読み出し、情報出力部１３において再生を開始することにより行うようになっている。
【００８２】
本実施形態のディスク記録再生装置は、光ディスク１７挿入後コンテンツデータを再生するまで、以上のように動作する。これにより、ユーザは、光ディスク１７を挿入した後、表示されるコンテンツ選択メニューから好みのコンテンツを選択し再生するよう操作すると、光ディスク１７の初期処理が完了していなくとも、選択したコンテンツを再生することができる。したがって、ユーザは、光ディスク１７の初期処理の完了を待たずして、選択したコンテンツを再生し、これを視聴することができる。
【００８３】
次に、本発明の光ディスク記録再生装置の第２実施形態について説明する。本実施形態の光ディスク記録再生装置は、光ディスクを挿入後、光ディスクの初期処理を行い、光ディスクに記録されているコンテンツデータを再生するまでの動作において特徴を有するものであり、その他の構成及び動作については、上記した本発明の第１実施形態と同様である。
【００８４】
図７は、本実施形態の光ディスク記録再生装置において、光ディスク１７を挿入してから光ディスク１７に記録されたコンテンツデータを再生するまでの動作を示すフローチャートである。
【００８５】
図７に示すように、本実施形態では、光ディスク１７の初期処理完了前にハードディスク装置１８内の部分ストリームを再生する場合において、ステップＳ７０９において、一定時間の経過後、部分ストリームの再生からコンテンツデータの再生に切り替えるように構成している。ここで、上記一定時間とは、光ディスク１７の初期処理に要する最大時間よりも長い時間であり、本実施形態の光ディスク記録再生装置に予め設定してあるものである。
上記の構成を有する本実施形態の光ディスク記録再生装置によれば、上記第１実施形態と同様の効果を得ることができる。
【００８６】
次に、本発明の光ディスク記録再生装置の第３実施形態について説明する。本実施形態の光ディスク記録再生装置もまた、光ディスクを挿入後、光ディスクの初期処理を行い、光ディスクに記録されているコンテンツデータを再生するまでの動作において特徴を有するものであり、その他の構成及び動作については、上記した本発明の第１実施形態と同様である。
【００８７】
図８は、本実施形態の光ディスク記録再生装置において、光ディスク１７を挿入してから光ディスク１７に記録されたコンテンツデータを再生するまでの動作を示すフローチャートである。
【００８８】
図８に示すように、本実施形態では、光ディスク１７の初期処理完了前にハードディスク装置１８内の部分ストリームを再生する場合において、ステップＳ８０９において、ハードディスク装置１８内に記録されている部分ストリームの全部を再生し終えた時に、部分ストリームの再生からコンテンツデータの再生に切り替えるように構成している。ここで、ハードディスク装置１８内に記録されている部分ストリームは、光ディスク１７の初期処理に要する最大時間よりも長い再生時間分の容量としているため、部分ストリームの再生が完了したときには、光ディスク１７の初期処理が必ず完了しているようになっている。
上記の構成を有する本実施形態の光ディスク記録再生装置によれば、上記第１実施形態と同様の効果を得ることができる。
【００８９】
ここで，上記の第１〜第３実施形態の光ディスク記録再生装置において、挿入された光ディスクに記録されているコンテンツが編集された場合、編集されたコンテンツに対応するディスクＩＤ管理テーブルのインデックス情報と部分ストリーム情報を、編集内容に従って更新し、ハードディスク装置１８に記録されている部分ストリームを、編集されたコンテンツと同じ内容を保つように更新するようになっている。
【００９０】
これにより、本発明の光ディスク記録再生装置を用いて、ユーザが、挿入されている光ディスク内のコンテンツを編集した場合であっても、光ディスク上のコンテンツと、それに対応するインデックス情報、部分ストリーム情報、部分ストリームとが一致しない状態がなくなるため、上記第１〜第３実施形態と同様の効果を得ることができる。
【００９１】
ところで、上記の第１〜第３実施形態において、光ディスク１７のコンテンツデータが他の光ディスク記録再生装置により書き換えられている場合や、光ディスク１７の記録内容が破損してしまった場合には、ステップＳ６０４において、光ディスク１７の識別コードとディスクＩＤ管理テーブルのディスクＩＤ情報とは一致するものの、実際に光ディスク１７に記録されているコンテンツデータと、ハードディスク装置１８に記録されている部分ストリームとが異なったものとなってしまうことがある。このような状態で、光ディスク１７の初期処理完了前に当該書き換えられた又は破損したコンテンツデータ再生すると、部分ストリームの再生から光ディスク１７に記録されているコンテンツデータの再生に切り替える際に、表示されるコンテンツが非連続となってしまう場合がある。
【００９２】
このような事態を回避するために、上記第１〜第３実施形態では、ステップＳ６０９〜Ｓ８０９において、光ディスク１７の初期処理完了後、光ディスク１７から各コンテンツのインデックス情報（タイトル、録画日時など）を読み取り、これをディスクＩＤ管理テーブルの各コンテンツ情報のインデックス情報と比較して、一致する場合にのみステップＳ６１０を実行するように構成することができる。また、光ディスク１７から読み取ったインデックス情報とディスクＩＤ管理テーブルのインデックス情報とが一致しない場合には、再生の動作を中断し、光ディスク１７から各コンテンツのインデックス情報及び部分ストリーム情報を取得し、これによりディスクＩＤ管理テーブルを更新するように構成することができる。その後、ステップＳ６０５に進み、更新されたコンテンツ選択メニューを表示し、再びユーザの操作を待機する状態となる（ステップＳ６０６）。
【００９３】
これにより、光ディスクの内容が他の光ディスク記録再生装置によって変更され、あるいは破損等により変更された場合であっても、非連続な映像が再生されるのを防止するとともに、ディスクＩＤ管理テーブルに含まれるコンテンツ情報を常に新しいものに保つことができる。
【００９４】
以上、本発明の光ディスク記録再生装置の第１〜第３実施形態について詳細に説明したが、本発明の光ディスク記録再生装置はこれらの実施形態に限定されるものではない。光ディスク記録再生装置の各構成部分、動作、操作方法などについては、本発明の要旨を逸脱しない範囲内において様々な変更を加えること可能である。
【００９５】
例えば、上記の第１〜第３実施形態では、光ディスクの識別コードを含むバーコードを光ディスク盤面又はカートリッジ表面に貼付し、これをディスクＩＤ識別部１６で読み取ることにより、光ディスクの識別コードを取得しているが、光ディスク盤面又はカートリッジ表面に記載された識別コードをユーザがユーザ操作部１４において入力するようにしてもよい。この場合、光ディスク記録再生装置において、ディスクＩＤ識別部１６を省略することができる。
【００９６】
また、図６〜図８のフローチャートに示した本発明の第１〜第３実施形態における動作は、コンピュータなどのデータ処理装置の制御プログラムとして記述し、これをシステム制御部１１に含まれるコンピュータ又はマイクロプロセッサ等において実行させることができる。さらに、上記のデータ処理装置の制御プログラムは、コンピュータ等で読み取り可能な記録媒体に記憶させることも可能であるから、任意のコンピュータ上で上記のデータ処理装置の制御プログラムを実行させることができる。
【００９７】
また、上記の第１〜第３実施形態では、光ディスク記録再生装置の記憶装置として、ハードディスク装置１８を用いたが、半導体メモリや他のディスクメディアなど、光ディスクの初期処理に要する時間より短い時間で、コンテンツデータの記録又は再生を行うことが可能な記憶装置を用いることができる。
【００９８】
上記の第１〜第３実施形態の動作においては、光ディスクの挿入後、表示されるコンテンツ選択メニューからユーザが好みのコンテンツを選択して再生の操作を行うようになっているが、光ディスクの挿入直後に、ユーザが再生ボタンを押すなどのコンテンツ再生を指示する操作があった場合には、コンテンツ選択メニューの表示を行わずに、挿入されている光ディスクに記録されているコンテンツをランダムに選択して再生するようにしてもよい。
【００９９】
このとき、光ディスクの初期処理が完了していない場合には、挿入されている光ディスクのディスクＩＤ情報に基づいて対応する部分ストリームを取得し、これをランダムに再生することができる。例えば、光ディスクに１つのコンテンツのみが記録されており、ユーザがその光ディスクの内容を把握している場合には、ユーザはわざわざコンテンツ選択メニューでコンテンツを選択しなくとも、コンテンツを再生することができ、コンテンツ再生までのユーザ操作を簡便にすることができる。
【０１００】
あるいは、光ディスクが挿入された後、コンテンツ選択メニューの表示を行わずに、挿入された光ディスクのディスクＩＤ情報に基づいて対応する部分ストリームをランダムに取得し、再生するようにしてもよい。これにより、ユーザは、コンテンツ選択メニューで必要なコンテンツを選択しなくとも、ディスクを挿入するだけで、コンテンツを再生することができるため、コンテンツ再生に伴うユーザの作業を軽減することができる。
【０１０１】
【発明の効果】
以上、説明したように本発明の光ディスク記録再生装置によれば、各々の光ディスクに一意の識別コードを与え、前記識別コードとその識別コードを持つ光ディスクに記録されているコンテンツの目次情報とコンテンツの先頭部分とを関連付けて保持し、光ディスクの挿入時に前記識別コードを取得し、取得した識別コードと前記保持した識別コードが一致した場合において、前記保持したコンテンツの先頭部分を再生するとともに、前記挿入された光ディスクの初期処理を開始し、前記初期処理が完了した段階で、前記挿入された光ディスクに記録されているコンテンツデータの再生に切り替えることができる。
【０１０２】
これにより、ユーザは、光ディスクを挿入してコンテンツ選択メニューが表示されてから、再生したいコンテンツを選択した際に、光ディスクの初期処理が完了していなくとも、選択したコンテンツを再生することができる。したがって、ユーザは、光ディスクの初期処理に要する時間を待たなくとも、選択したコンテンツを視聴することができる。
【図面の簡単な説明】
【図１】本発明の光ディスク記録再生装置の構成を概略的に示す機能ブロック図である。
【図２】本発明の光ディスク記録再生装置において記録及び再生するコンテンツデータの構成を概略的に示す図である。
【図３】本発明の光ディスク記録再生装置で利用する光ディスクに記録されているコンテンツデータの構成を概略的に示す図である。
【図４】図３に示すコンテンツデータの部分ストリームの構成を示す概略図である。
【図５】本発明の光ディスク記録再生装置において、ワークメモリ上に格納されているディスクＩＤ管理テーブルの構成を概略的に示すブロック図である。
【図６】本発明のディスク記録再生装置の第１実施形態において、光ディスクの挿入からコンテンツデータの再生までの動作を示すフローチャートである。
【図７】本発明のディスク記録再生装置の第２実施形態において、光ディスクの挿入からコンテンツデータの再生までの動作を示すフローチャートである。
【図８】本発明のディスク記録再生装置の第３実施形態において、光ディスクの挿入からコンテンツデータの再生までの動作を示すフローチャートである。
【符号の説明】
１１    システム制御部
１２    情報入力部
１３    情報出力部
１４    ユーザ操作部
１５    ディスク記録再生部
１６    ディスクＩＤ識別部
１７    光ディスク
１８    ハードディスク装置
１９    ワークメモリ
【図１】
2004171626.tif 000003
【図２】
2004171626.tif 000004
【図３】
2004171626.tif 000005
【図４】
2004171626.tif 000006
【図５】
2004171626.tif 000007
【図６】
2004171626.tif 000008
【図７】
2004171626.tif 000009
【図８】
2004171626.tif 000010